(57)【特許請求の範囲】
【請求項１】
圧縮された第１のデータと前記第１のデータのデータ量を少なくしたデータである第２のデータを、記録媒体に記録する制御を行う記録制御装置において、
前記第１および第２のデータを圧縮する圧縮手段と、
圧縮された前記第１のデータおよび前記第２のデータそれぞれから、前記記録媒体の物理的単位領域の整数倍のデータ量である所定のデータ量のデータを抽出するデータ抽出手段と、
圧縮された前記第１のデータおよび前記第２のデータそれぞれについての前記所定のデータ量ごとのデータを、そのデータの境界と、前記物理的単位領域の境界とが一致し、かつ圧縮された前記第１のデータおよび前記第２のデータそれぞれについての前記所定のデータ量ごとのデータが周期的に配置されるように、前記記録媒体に記録する記録制御を行う記録制御手段と、
圧縮された新たな第１のデータを、既に記録されている圧縮された前記第１のデータに追記する場合、その既に記録されている圧縮された第１のデータのうち、前記記録媒体の最後に配置されている前記所定のデータ量の圧縮された前記第１のデータである最後データの再生を制御する再生制御手段と、
前記最後データを伸張する伸張手段と、
伸張後の前記最後データと、前記新たな第１のデータとを記憶する記憶手段と、
前記記憶手段に記憶される前記伸張後の最後データと前記新たな第１のデータを順に読み出し、読み出し順に、データ量を少なくして、新たな第２のデータを生成する生成手段と、
前記最後データと、前記記録媒体の最後に配置されている前記所定のデータ量の圧縮された前記第２のデータを前記記録媒体から削除する削除手段と
を備え、
前記圧縮手段は、前記伸張後の最後データと前記新たな第１のデータを圧縮し、前記新たな第２のデータを圧縮し、
前記データ抽出手段は、圧縮の結果得られる前記最後データ、圧縮された前記新たな第１のデータの順に、前記所定のデータ量のデータを前記第１のデータの追記データとして抽出し、圧縮された前記新たな第２のデータから、前記所定のデータ量のデータを前記第２のデータの追記データとして抽出し、
前記記録制御手段は、前記第１および第２のデータの追記データを、その追記データの境界と、前記物理的単位領域の境界とが一致し、かつ前記第１および第２のデータごとの前記追記データが周期的に配置されるように、前記記録媒体に記録する記録制御を行う
記録制御装置。
【請求項２】
前記再生制御手段は、圧縮された前記新たな第１のデータを、前記既に記録されている圧縮された前記１のデータに追記する場合、前記最後データのデータ量が前記所定のデータ量より小さいとき、前記最後データの再生を制御する
請求項１に記載の記録制御装置。
【請求項３】
前記再生制御手段は、圧縮された前記第１のデータおよび前記第２のデータのヘッダに基づいて、前記最後データのデータ量が前記所定のデータ量より小さいかどうかを判定する
請求項２に記載の記録制御装置。
【請求項４】
前記第１のデータは、画像データまたは音声データである
請求項１に記載の記録制御装置。
【請求項５】
圧縮された第１のデータと前記第１のデータのデータ量を少なくしたデータである第２のデータを、記録媒体に記録する制御を行う記録制御装置の記録制御方法において、
前記第１および第２のデータを圧縮し、
圧縮された前記第１のデータおよび前記第２のデータそれぞれから、前記記録媒体の物理的単位領域の整数倍のデータ量である所定のデータ量のデータを抽出し、
圧縮された前記第１のデータおよび前記第２のデータそれぞれについての前記所定のデータ量ごとのデータを、そのデータの境界と、前記物理的単位領域の境界とが一致し、かつ圧縮された前記第１のデータおよび前記第２のデータそれぞれについての前記所定のデータ量ごとのデータが周期的に配置されるように、前記記録媒体に記録する記録制御を行い、
圧縮された新たな第１のデータを、既に記録されている圧縮された前記第１のデータに追記する場合、その既に記録されている圧縮された第１のデータのうち、前記記録媒体の最後に配置されている前記所定のデータ量の圧縮された前記第１のデータである最後データの再生を制御し、
前記最後データを伸張し、
伸張後の前記最後データと、前記新たな第１のデータとを記憶させ、
記憶されている前記伸張後の最後データと前記新たな第１のデータを順に読み出し、読み出し順に、データ量を少なくして、新たな第２のデータを生成し、
前記伸張後の最後データと前記新たな第１のデータを圧縮し、
前記新たな第２のデータを圧縮し、
前記最後データと、前記記録媒体の最後に配置されている前記所定のデータ量の圧縮された前記第２のデータを前記記録媒体から削除し、
圧縮の結果得られる前記最後データ、圧縮された前記新たな第１のデータの順に、前記所定のデータ量のデータを前記第１のデータの追記データとして抽出し、圧縮された前記新たな第２のデータから、前記所定のデータ量のデータを前記第２のデータの追記データとして抽出し、
前記第１および第２のデータの追記データを、その追記データの境界と、前記物理的単位領域の境界とが一致し、かつ前記第１および第２のデータごとの前記追記データが周期的に配置されるように、前記記録媒体に記録する記録制御を行う
ステップを含む記録制御方法。
【請求項６】
圧縮された第１のデータと前記第１のデータのデータ量を少なくしたデータである第２のデータを、記録媒体に記録する制御を行う処理を、コンピュータに行わせるプログラムにおいて、
前記第１および第２のデータを圧縮し、
圧縮された前記第１のデータおよび前記第２のデータそれぞれから、前記記録媒体の物理的単位領域の整数倍のデータ量である所定のデータ量のデータを抽出し、
圧縮された前記第１のデータおよび前記第２のデータそれぞれについての前記所定のデータ量ごとのデータを、そのデータの境界と、前記物理的単位領域の境界とが一致し、かつ圧縮された前記第１のデータおよび前記第２のデータそれぞれについての前記所定のデータ量ごとのデータが周期的に配置されるように、前記記録媒体に記録する記録制御を行い、
圧縮された新たな第１のデータを、既に記録されている圧縮された前記第１のデータに追記する場合、その既に記録されている圧縮された第１のデータのうち、前記記録媒体の最後に配置されている前記所定のデータ量の圧縮された前記第１のデータである最後データの再生を制御し、
前記最後データを伸張し、
伸張後の前記最後データと、前記新たな第１のデータとを記憶させ、
記憶されている前記伸張後の最後データと前記新たな第１のデータを順に読み出し、読み出し順に、データ量を少なくして、新たな第２のデータを生成し、
前記伸張後の最後データと前記新たな第１のデータを圧縮し、
前記新たな第２のデータを圧縮し、
前記最後データと、前記記録媒体の最後に配置されている前記所定のデータ量の圧縮された前記第２のデータを前記記録媒体から削除し、
圧縮の結果得られる前記最後データ、圧縮された前記新たな第１のデータの順に、前記所定のデータ量のデータを前記第１のデータの追記データとして抽出し、圧縮された前記新たな第２のデータから、前記所定のデータ量のデータを前記第２のデータの追記データとして抽出し、
前記第１および第２のデータの追記データを、その追記データの境界と、前記物理的単位領域の境界とが一致し、かつ前記第１および第２のデータごとの前記追記データが周期的に配置されるように、前記記録媒体に記録する記録制御を行う
ステップを含むプログラム。
【発明の詳細な説明】
【技術分野】
【０００１】
本発明は、記録制御装置および記録制御方法、並びにプログラムに関し、特に、編集処理を迅速に行うことができるようにした記録制御装置および記録制御方法、並びにプログラムに関する。
【背景技術】
【０００２】
従来、編集処理を迅速に行うために、音声データや画像データをセクタの整数倍のデータ量である年輪サイズ単位で光ディスクに記録する記録装置がある(例えば、特許文献１参照)。
【０００３】
このような記録装置においては、音声データや画像データ等のデータがセクタの整数倍のデータ量である年輪サイズ単位で記録されるので、光ディスクから、音声データまたは画像データだけを読み出すことが可能となり、これにより、アクセス効率が向上する。その結果、例えば、音声データ、または画像データだけの編集処理を迅速に行うことが可能となる。
【０００４】
ここで、図１Ａと図１Ｂを参照して、年輪サイズ単位で記録された音声データと画像データの光ディスク上の配置について説明する。
【０００５】
図１Ａと図１Ｂの例では、光ディスクに再生時間が２．５秒の音声データと画像データを記録させるものし、光ディスクのセクタのサイズが１００Kbit、音声データのデータレートが２Mbps、画像データレートが４Mbpsであるものとする。また、音声データの年輪サイズが２０セクタのデータ量であり、画像データの年輪サイズが４０セクタのデータ量であるものとする。
【０００６】
図１Ａに示すように、記録装置は、記録対象とする音声データのデータ系列を、先頭から順に年輪サイズ単位で記録し、記録対象とする画像データのデータ系列を、先頭から順に年輪サイズ単位で記録する。なお、年輪サイズの音声データである音声年輪データ、年輪サイズの画像データである画像年輪データは、音声年輪データ、画像年輪データの順に周期的に配置される。
【０００７】
ここで、図１Ａにおいては、記録対象が、再生時間が２．５秒の音声データと画像データであるので、記録対象の音声データのデータ量は５０セクタのデータ量であり、画像データのデータ量は１００セクタのデータ量となる。従って、図１Ａに示すように、光ディスクには、音声年輪データと画像年輪データが２回配置されて記録された後、１０セクタの音声データ、２０セクタの画像データが順に配置されて記録される。即ち、最後に配置される音声データと画像データのデータ量は、年輪サイズとならない。
【０００８】
そして、この後、記録装置が、再生時間が１．５秒の音声データと画像データを追記する場合、記録装置は、図１Ａで最後に配置された年輪サイズではない画像データの後に、音声データと画像データを年輪サイズごとに配置して記録する。
【０００９】
この場合、追記対象が、再生時間が１．５秒の音声データと画像データであるので、追記対象の音声データのデータ量は３０セクタのデータ量であり、画像データのデータ量は６０セクタのデータ量となる。従って、図１Ｂに示すように、光ディスクには、図１Ａで最後に配置された年輪サイズではない画像データの後に、音声年輪データと画像年輪データが１回配置されて記録された後、１０セクタの音声データ、２０セクタの画像データが順に配置されて記録される。即ち、追記後に最後に配置される音声データと画像データのデータ量も、年輪サイズとならない。
【００１０】
【特許文献１】特開２００４−５８９５号公報
【発明の開示】
【発明が解決しようとする課題】
【００１１】
以上のように、上述した記録装置が追記を行う場合、追記対象とするデータを追記する既に記録されているデータのうち、光ディスクの最後に配置されているデータの直後から、追記対象とするデータを配置させて記録するので、年輪サイズの整数倍ではないデータを追記し続けると、光ディスクには、年輪サイズ単位ではないデータが多数配置されて記録されてしまう。その結果、編集処理を迅速に行うことができない場合があった。
【００１２】
本発明は、このような状況に鑑みてなされたものであり、編集処理を迅速に行うことができるようにするものである。
【課題を解決するための手段】
【００１３】
本発明の一側面の記録制御装置は、圧縮された第１のデータと前記第１のデータのデータ量を少なくしたデータである第２のデータを、記録媒体に記録する制御を行う記録制御装置において、前記第１および第２のデータを圧縮する圧縮手段と、圧縮された前記第１のデータおよび前記第２のデータそれぞれから、前記記録媒体の物理的単位領域の整数倍のデータ量である所定のデータ量のデータを抽出するデータ抽出手段と、圧縮された前記第１のデータおよび前記第２のデータそれぞれについての前記所定のデータ量ごとのデータを、そのデータの境界と、前記物理的単位領域の境界とが一致し、かつ圧縮された前記第１のデータおよび前記第２のデータそれぞれについての前記所定のデータ量ごとのデータが周期的に配置されるように、前記記録媒体に記録する記録制御を行う記録制御手段と、圧縮された新たな第１のデータを、既に記録されている圧縮された前記第１のデータに追記する場合、その既に記録されている圧縮された第１のデータのうち、前記記録媒体の最後に配置されている前記所定のデータ量の圧縮された前記第１のデータである最後データの再生を制御する再生制御手段と、前記最後データを伸張する伸張手段と、伸張後の前記最後データと、前記新たな第１のデータとを記憶する記憶手段と、前記記憶手段に記憶される前記伸張後の最後データと前記新たな第１のデータを順に読み出し、読み出し順に、データ量を少なくして、新たな第２のデータを生成する生成手段と、前記最後データと、前記記録媒体の最後に配置されている前記所定のデータ量の圧縮された前記第２のデータを前記記録媒体から削除する削除手段とを備え、前記圧縮手段は、前記伸張後の最後データと前記新たな第１のデータを圧縮し、前記新たな第２のデータを圧縮し、前記データ抽出手段は、圧縮の結果得られる前記最後データ、圧縮された前記新たな第１のデータの順に、前記所定のデータ量のデータを前記第１のデータの追記データとして抽出し、圧縮された前記新たな第２のデータから、前記所定のデータ量のデータを前記第２のデータの追記データとして抽出し、前記記録制御手段は、前記第１および第２のデータの追記データを、その追記データの境界と、前記物理的単位領域の境界とが一致し、かつ前記第１および第２のデータごとの前記追記データが周期的に配置されるように、前記記録媒体に記録する記録制御を行う。
【００１４】
前記再生制御手段は、圧縮された前記新たな第１のデータを、前記既に記録されている圧縮された前記１のデータに追記する場合、前記最後データのデータ量が前記所定のデータ量より小さいとき、前記最後データの再生を制御することができる。
【００１５】
前記再生制御手段は、圧縮された前記第１のデータおよび前記第２のデータのヘッダに基づいて、前記最後データのデータ量が前記所定のデータ量より小さいかどうかを判定することができる。
前記第１のデータは、画像データまたは音声データであるようにすることができる。
【００１７】
本発明の一側面の記録方法は、圧縮された第１のデータと前記第１のデータのデータ量を少なくしたデータである第２のデータを、記録媒体に記録する制御を行う記録制御装置の記録制御方法において、前記第１および第２のデータを圧縮し、圧縮された前記第１のデータおよび前記第２のデータそれぞれから、前記記録媒体の物理的単位領域の整数倍のデータ量である所定のデータ量のデータを抽出し、圧縮された前記第１のデータおよび前記第２のデータそれぞれについての前記所定のデータ量ごとのデータを、そのデータの境界と、前記物理的単位領域の境界とが一致し、かつ圧縮された前記第１のデータおよび前記第２のデータそれぞれについての前記所定のデータ量ごとのデータが周期的に配置されるように、前記記録媒体に記録する記録制御を行い、圧縮された新たな第１のデータを、既に記録されている圧縮された前記第１のデータに追記する場合、その既に記録されている圧縮された第１のデータのうち、前記記録媒体の最後に配置されている前記所定のデータ量の圧縮された前記第１のデータである最後データの再生を制御し、前記最後データを伸張し、伸張後の前記最後データと、前記新たな第１のデータとを記憶させ、記憶されている前記伸張後の最後データと前記新たな第１のデータを順に読み出し、読み出し順に、データ量を少なくして、新たな第２のデータを生成し、前記伸張後の最後データと前記新たな第１のデータを圧縮し、前記新たな第２のデータを圧縮し、前記最後データと、前記記録媒体の最後に配置されている前記所定のデータ量の圧縮された前記第２のデータを前記記録媒体から削除し、圧縮の結果得られる前記最後データ、圧縮された前記新たな第１のデータの順に、前記所定のデータ量のデータを前記第１のデータの追記データとして抽出し、圧縮された前記新たな第２のデータから、前記所定のデータ量のデータを前記第２のデータの追記データとして抽出し、前記第１および第２のデータの追記データを、その追記データの境界と、前記物理的単位領域の境界とが一致し、かつ前記第１および第２のデータごとの前記追記データが周期的に配置されるように、前記記録媒体に記録する記録制御を行うステップを含む。
【００１８】
本発明の一側面のプログラムは、圧縮された第１のデータと前記第１のデータのデータ量を少なくしたデータである第２のデータを、記録媒体に記録する制御を行う処理を、コンピュータに行わせるプログラムにおいて、前記第１および第２のデータを圧縮し、圧縮された前記第１のデータおよび前記第２のデータそれぞれから、前記記録媒体の物理的単位領域の整数倍のデータ量である所定のデータ量のデータを抽出し、圧縮された前記第１のデータおよび前記第２のデータそれぞれについての前記所定のデータ量ごとのデータを、そのデータの境界と、前記物理的単位領域の境界とが一致し、かつ圧縮された前記第１のデータおよび前記第２のデータそれぞれについての前記所定のデータ量ごとのデータが周期的に配置されるように、前記記録媒体に記録する記録制御を行い、圧縮された新たな第１のデータを、既に記録されている圧縮された前記第１のデータに追記する場合、その既に記録されている圧縮された第１のデータのうち、前記記録媒体の最後に配置されている前記所定のデータ量の圧縮された前記第１のデータである最後データの再生を制御し、前記最後データを伸張し、伸張後の前記最後データと、前記新たな第１のデータとを記憶させ、記憶されている前記伸張後の最後データと前記新たな第１のデータを順に読み出し、読み出し順に、データ量を少なくして、新たな第２のデータを生成し、前記伸張後の最後データと前記新たな第１のデータを圧縮し、前記新たな第２のデータを圧縮し、前記最後データと、前記記録媒体の最後に配置されている前記所定のデータ量の圧縮された前記第２のデータを前記記録媒体から削除し、圧縮の結果得られる前記最後データ、圧縮された前記新たな第１のデータの順に、前記所定のデータ量のデータを前記第１のデータの追記データとして抽出し、圧縮された前記新たな第２のデータから、前記所定のデータ量のデータを前記第２のデータの追記データとして抽出し、前記第１および第２のデータの追記データを、その追記データの境界と、前記物理的単位領域の境界とが一致し、かつ前記第１および第２のデータごとの前記追記データが周期的に配置されるように、前記記録媒体に記録する記録制御を行うステップを含む。
【００１９】
本発明の一側面においては、第１のデータおよび第１のデータのデータ量を少なくしたデータである第２のデータが圧縮され、圧縮された第１のデータおよび第２のデータそれぞれから、記録媒体の物理的単位領域の整数倍のデータ量である所定のデータ量のデータが抽出され、圧縮された第１のデータおよび第２のデータそれぞれについての所定のデータ量ごとのデータを、そのデータの境界と、物理的単位領域の境界とが一致し、かつ圧縮された第１のデータおよび第２のデータそれぞれについての所定のデータ量ごとのデータが周期的に配置されるように、記録媒体に記録する記録制御が行われる。そして、圧縮された新たな第１のデータが、既に記録されている圧縮された第１のデータに追記される場合、その既に記録されている圧縮された第１のデータのうち、記録媒体の最後に配置されている所定のデータ量の圧縮された第１のデータである最後データの再生が制御され、最後データが伸張され、伸張後の最後データと、新たな第１のデータとが記憶され、記憶されている伸張後の最後データと新たな第１のデータが順に読み出され、読み出し順に、データ量が少なくされて、新たな第２のデータが生成され、伸張後の最後データと新たな第１のデータが圧縮され、前記新たな第２のデータが圧縮され、最後データと、記録媒体の最後に配置されている所定のデータ量の圧縮された第２のデータが記録媒体から削除される。そして、圧縮の結果得られる最後データ、圧縮された新たな第１のデータの順に、所定のデータ量のデータが第１のデータの追記データとして抽出され、圧縮された新たな第２のデータから、所定のデータ量のデータが第２のデータの追記データとして抽出され、第１および第２のデータの追記データを、その追記データの境界と、物理的単位領域の境界とが一致し、かつ第１および第２のデータごとの追記データが周期的に配置されるように、記録媒体に記録する記録制御が行われる。
【発明の効果】
【００２０】
以上のように、本発明の一側面によれば、編集処理を迅速に行うことができる。
【発明を実施するための最良の形態】
【００２１】
以下に本発明の実施の形態を説明するが、本発明の構成要件と、明細書又は図面に記載の実施の形態との対応関係を例示すると、次のようになる。この記載は、本発明をサポートする実施の形態が、明細書又は図面に記載されていることを確認するためのものである。従って、明細書又は図面中には記載されているが、本発明の構成要件に対応する実施の形態として、ここには記載されていない実施の形態があったとしても、そのことは、その実施の形態が、その構成要件に対応するものではないことを意味するものではない。逆に、実施の形態が構成要件に対応するものとしてここに記載されていたとしても、そのことは、その実施の形態が、その構成要件以外の構成要件には対応しないものであることを意味するものでもない。
【００２２】
本発明の一側面の記録制御装置は、
圧縮された第１のデータと前記第１のデータのデータ量を少なくしたデータである第２のデータを、記録媒体(例えば、図２の光ディスク１１)に記録する制御を行う記録制御装置(例えば、図２のディスク記録装置１０)において、
前記第１および第２のデータを圧縮する圧縮手段と、
圧縮された前記第１のデータおよび前記第２のデータそれぞれから、前記記録媒体の物理的単位領域の整数倍のデータ量である所定のデータ量のデータを抽出するデータ抽出手段(例えば、図２のメモリコントローラ１７)と、
圧縮された前記第１のデータおよび前記第２のデータそれぞれについての前記所定のデータ量ごとのデータを、そのデータの境界と、前記物理的単位領域の境界とが一致し、かつ圧縮された前記第１のデータおよび前記第２のデータそれぞれについての前記所定のデータ量ごとのデータが周期的に配置されるように、前記記録媒体に記録する記録制御を行う記録制御手段（例えば、図４の記録制御部６１）と、
圧縮された新たな第１のデータを、既に記録されている圧縮された前記第１のデータに追記する場合、その既に記録されている圧縮された第１のデータのうち、前記記録媒体の最後に配置されている前記所定のデータ量の圧縮された前記第１のデータである最後データの再生を制御する再生制御手段(例えば、図４の再生制御部６２)と、
前記最後データを伸張する伸張手段と、
伸張後の前記最後データと、前記新たな第１のデータとを記憶する記憶手段(例えば、図２のメモリ２０)と、
前記記憶手段に記憶される前記伸張後の最後データと前記新たな第１のデータを順に読み出し、読み出し順に、データ量を少なくして、新たな第２のデータを生成する生成手段と、
前記最後データと、前記記録媒体の最後に配置されている前記所定のデータ量の圧縮された前記第２のデータを前記記録媒体から削除する削除手段(例えば、図４の削除部６４)と
を備え、
前記圧縮手段は、前記伸張後の最後データと前記新たな第１のデータを圧縮し、前記新たな第２のデータを圧縮し、
前記データ抽出手段は、圧縮の結果得られる前記最後データ、圧縮された前記新たな第１のデータの順に、前記所定のデータ量のデータを前記第１のデータの追記データとして抽出し、圧縮された前記新たな第２のデータから、前記所定のデータ量のデータを前記第２のデータの追記データとして抽出し、
前記記録制御手段は、前記第１および第２のデータの追記データを、その追記データの境界と、前記物理的単位領域の境界とが一致し、かつ前記第１および第２のデータごとの前記追記データが周期的に配置されるように、前記記録媒体に記録する記録制御を行う(例えば、図７のステップＳ４６の処理)。
【００２３】
本発明の一側面の記録制御装置は、
前記再生制御手段は、圧縮された前記新たな第１のデータを、前記既に記録されている圧縮された前記１のデータに追記する場合、前記最後データのデータ量が前記所定のデータ量より小さいとき、前記最後データの再生を制御する(例えば、図６のステップＳ２３)。
【００２５】
本発明の一側面の記録方法は、
圧縮された第１のデータと前記第１のデータのデータ量を少なくしたデータである第２のデータを、記録媒体(例えば、図２の光ディスク１１)に記録する制御を行う記録制御装置(例えば、図２のディスク記録装置１０)の記録制御方法において、
前記第１および第２のデータを圧縮し、
圧縮された前記第１のデータおよび前記第２のデータそれぞれから、前記記録媒体の物理的単位領域の整数倍のデータ量である所定のデータ量のデータを抽出し、
圧縮された前記第１のデータおよび前記第２のデータそれぞれについての前記所定のデータ量ごとのデータを、そのデータの境界と、前記物理的単位領域の境界とが一致し、かつ圧縮された前記第１のデータおよび前記第２のデータそれぞれについての前記所定のデータ量ごとのデータが周期的に配置されるように、前記記録媒体に記録する記録制御を行い、
圧縮された新たな第１のデータを、既に記録されている圧縮された前記第１のデータに追記する場合、その既に記録されている圧縮された第１のデータのうち、前記記録媒体の最後に配置されている前記所定のデータ量の圧縮された前記第１のデータである最後データの再生を制御し(例えば、図６のステップＳ２３)、
前記最後データを伸張し、
伸張後の前記最後データと、前記新たな第１のデータとを記憶させ(例えば、図６のステップＳ２４)、
記憶されている前記伸張後の最後データと前記新たな第１のデータを順に読み出し、読み出し順に、データ量を少なくして、新たな第２のデータを生成し、
前記伸張後の最後データと前記新たな第１のデータを圧縮し、
前記新たな第２のデータを圧縮し、
前記最後データと、前記記録媒体の最後に配置されている前記所定のデータ量の圧縮された前記第２のデータを前記記録媒体から削除し（例えば、図６のステップＳ２５）、
圧縮の結果得られる前記最後データ、圧縮された前記新たな第１のデータの順に、前記所定のデータ量のデータを前記第１のデータの追記データとして抽出し、圧縮された前記新たな第２のデータから、前記所定のデータ量のデータを前記第２のデータの追記データとして抽出し、
前記第１および第２のデータの追記データを、その追記データの境界と、前記物理的単位領域の境界とが一致し、かつ前記第１および第２のデータごとの前記追記データが周期的に配置されるように、前記記録媒体に記録する記録制御を行う(例えば、図７のステップＳ４６)
ステップを含む。
【００２６】
以下、本発明を適用した具体的な実施の形態について、図面を参照しながら詳細に説明する。
【００２７】
図２は、本発明を適用したディスク記録装置１０の一実施の形態の構成例を示している。
【００２８】
スピンドルモータ１２は、サーボ制御部１５からのスピンドルモータ駆動信号に基づいて、光ディスク１１をCLV(Constant Linear Velocity)またはCAV(Constant Angular Velocity)で回転駆動する。
【００２９】
ピックアップ部１３は、信号処理部１６から供給される記録信号に基づきレーザ光の出力を制御して、光ディスク１１に記録信号を記録する。ピックアップ部１３はまた、光ディスク１１にレーザ光を集光して照射するとともに、光ディスク１１からの反射光を光電変換して電流信号を生成し、RF(Radio Frequency)アンプ１４に供給する。なお、レーザ光の照射位置は、サーボ制御部１５からピックアップ部１３に供給されるサーボ信号により所定の位置に制御される。
【００３０】
RFアンプ１４は、ピックアップ部１３からの電流信号に基づいて、フォーカス誤差信号およびトラッキング誤差信号、並びに再生信号を生成し、トラッキング誤差信号およびフォーカス誤差信号をサーボ制御部１５に供給し、再生信号を信号処理部１６に供給する。
【００３１】
サーボ制御部１５は、フォーカスサーボ動作やトラッキングサーボ動作の制御を行う。具体的には、サーボ制御部１５は、RFアンプ１４からのフォーカス誤差信号とトラッキング誤差信号に基づいてフォーカスサーボ信号とトラッキングサーボ信号をそれぞれ生成し、ピックアップ部１３のアクチュエータ（図示せず）に供給する。またサーボ制御部１５は、スピンドルモータ１２を駆動するスピンドルモータ駆動信号を生成して、光ディスク１１を所定の回転速度で回転させるスピンドルサーボ動作の制御を行う。
【００３２】
さらにサーボ制御部１５は、ピックアップ部１３を光ディスク１１の径方向に移動させてレーザ光の照射位置を変えるスレッド制御を行う。なお、光ディスク１１の信号読み出し位置の設定は、制御部２１によって行われ、設定された読み出し位置から信号を読み出すことができるようにピックアップ部１３の位置が制御される。
【００３３】
信号処理部１６は、メモリコントローラ１７から入力される記録データを変調して記録信号を生成し、ピックアップ部１３に供給する。信号処理部１６はまた、RFアンプ１４からの再生信号を復調して再生データを生成し、メモリコントローラ１７に供給する。
【００３４】
メモリコントローラ１７は、適宜、データ変換部１９からの記録データ、または信号処理部１６からの再生データをメモリ１８に記憶する。また、メモリコントローラ１７は、それらを読み出し、信号処理部１６またはデータ変換部１９に供給する。
【００３５】
データ変換部１９は、データ入出力装置４０から供給される、ビデオカメラ（図示せず）で撮影された画像データと音声データ等のうち、音声データをメモリ２０の音声メモリ３１に記憶させ、画像データをメモリ２０の画像メモリ３２に記憶させる。データ変換部１９は、音声データまたは画像データをメモリ２０から読み出し、必要に応じて、例えば、MPEG (Moving Picture Experts Group)、JPEG (Joint Photographic Experts Group)等の方式に基づいて圧縮し、記録データとしてメモリコントローラ１７に供給する。
【００３６】
データ変換部１９はまた、メモリコントローラ１７から供給される再生データを、必要に応じて伸張し、所定のフォーマットの出力信号に変換して、信号入出装置４０に供給する。また、データ変換部１９は、必要に応じて、再生データを伸張し、その結果得られる再生データのうち音声データを音声メモリ３１に記憶させ、画像データを画像メモリ３２に記憶させる。
【００３７】
制御部２１は、ROM２３に記憶されているプログラムにしたがって、操作部２２からの操作信号などに基づき、サーボ制御部１５、信号処理部１６、メモリコントローラ１７、およびデータ変換部１９を制御し、記録再生処理を実行させる。また、制御部２１は、操作信号に基づき、データ入出力装置４０に記録対象とするデータを要求する。操作部２２は、例えば、ユーザによって操作され、その操作に対応する操作信号を、制御部２１に供給する。
【００３８】
以上のように構成されるディスク記録装置１０では、ユーザが操作部２２を操作することにより、データの記録を指令すると、データ入出力装置４０から供給されるデータが、データ変換部１９、メモリコントローラ１７、信号処理部１６、およびピックアップ部１３を介して、光ディスク１１に供給されて記録される。
【００３９】
また、ユーザが操作部２２を操作することにより、データの再生を指令すると、光ディスク１１から、ピックアップ部１３、RFアンプ１４、信号処理部１６、メモリコントローラ１７、およびデータ変換部１９を介して、データが再生され、データ入出力装置４０に供給される。
【００４０】
次に、図３は、図２のデータ変換部１９の構成例を示している。
【００４１】
光ディスク１１へのデータの記録時には、データ入出力装置４０から記録すべきデータが、デマルチプレクサ４１に供給される。デマルチプレクサ４１は、データ入出力装置４０から供給されるデータから、関連する複数のデータ系列、即ち、例えば、動画の（例えばベースバンドの）画像データと、その画像データに付随する（例えばベースバンドの）音声データとを分離し、画像データを画像メモリ３２に供給するとともに、音声データを音声メモリ３１に供給する。
【００４２】
データ量検出部４２は、メモリ２０の画像メモリ３２から読み出した画像データと、音声メモリ３１から読み出した音声データとを、そのまま、画像データ変換部４３と音声データ変換部４４にそれぞれ供給するとともに、その画像データと音声データのデータ量を検出し、メモリコントローラ１７に供給する。即ち、データ量検出部４２は、メモリ２０から供給される画像データと音声データそれぞれについて、年輪サイズのデータ量を検出し、メモリコントローラ１７に供給する。
【００４３】
また、データ量検出部４２は、画像メモリ３２から供給される画像データ、さらには、必要に応じて音声メモリ３１から読み出した音声データを、ローレゾデータ生成部４５に供給する。
【００４４】
画像データ変換部４３は、データ量検出部４２から供給される画像データを、例えば、すべてのフレームをI（Intra）ピクチャとしてMPEGエンコードし、その結果得られる画像データのデータ系列を、記録データとして、メモリコントローラ１７に供給する。また、音声データ変換部４４は、データ量検出部４２から供給される音声データを、例えばMPEGエンコードし、その結果得られる音声データのデータ系列を、記録データとして、メモリコントローラ１７に供給する。
【００４５】
ローレゾデータ生成部４５は、そこに供給されるデータのデータ量を少なくしたデータであるローレゾデータのデータ系列を生成し、記録データとして、メモリコントローラ１７に供給する。
【００４６】
即ち、ローレゾデータ生成部４５は、データ量検出部４２を介して供給される画像データの各フレームの画素数を間引く等することによって、画素数の少ないフレームの画像データである少画像データを生成する。さらに、ローレゾデータ生成部４５は、その少画像データを、例えば、MPEG4方式でエンコードし、そのエンコード結果を、ローレゾデータとして出力する。
【００４７】
なお、ローレゾデータ生成部４５では、データ量検出部４２を介して供給される音声データ、あるいは、その音声データのサンプルを間引く等することによってデータ量を少なくした音声データを、ローレゾデータに含めて（例えば、フレーム単位等で少画像データに多重化した形で）出力するようにすることが可能である。以下では、ローレゾデータには、音声データが含まれるものとする。
【００４８】
ローレゾデータは、上述したように、画像データ変換部４３が出力する画像データと音声データ変換部４４が出力する音声データと、同一内容の画像および音声データではあるが、そのデータ量が少ない。従って、ある再生時間の再生を行うとした場合、ローレゾデータは、画像データ変換部４３が出力する画像データと音声データ変換部４４が出力する音声データに比較して、光ディスク１１から短時間で再生することができる。
【００４９】
メモリコントローラ１７に供給された記録データは、上述したようにして、光ディスク１１に供給されて記録される。
【００５０】
一方、光ディスク１１からのデータの再生時においては、上述したようにして、光ディスク１１から再生データが再生され、再生データのうちの画像データのデータ系列は、メモリコントローラ１７から画像データ変換部４６に、音声データのデータ系列は、メモリコントローラ１７から音声データ変換部４７に供給される。また、再生データのうちのローレゾデータのデータ系列は、メモリコントローラ１７からローレゾデータ処理部４８に供給される。
【００５１】
画像データ変換部４５は、メモリコントローラ１７から供給される画像データのデータ系列を、例えばMPEGデコードし、その結果得られる画像データを、メモリ２０の画像メモリ３２に供給して記憶させたり、マルチプレクサ４９に供給する。また、音声データ変換部４７は、メモリコントローラ１７から供給される音声データのデータ系列を、例えばMPEGデコードし、その結果得られる音声データを、メモリ２０の音声メモリ３１に供給して記憶させたり、マルチプレクサ４９に供給する。
【００５２】
ローレゾデータ処理部４８は、メモリコントローラ１７から供給されるローレゾデータをデータ量の少ない画像データと音声データにデコードし、マルチプレクサ４９に供給する。
【００５３】
マルチプレクサ４９は、画像データ変換部４６から供給される画像データ、音声データ変換部４７から供給される音声データ、ローレゾデータ処理部４８から供給されるローレゾデータを、データ入出力装置４０に供給する。なお、マルチプレクサ４９では、画像データ変換部４６からの画像データ、音声データ変換部４７からの音声データ、ローレゾデータ処理部４８からのローレゾデータを多重化して出力するようにすることも、それぞれのデータを、独立に、並列して出力するようにすることも可能である。
【００５４】
次に、図４は、光ディスク１１に対して追記を行う場合における、制御部２１の機能の構成例を示している。
【００５５】
制御部２１は、記録制御部６１、再生制御部６２、判定部６３、および削除部６４により構成される。
【００５６】
記録制御部６１は、図２の操作部２２から供給される、追記対象とするクリップ(以下、追記クリップという)を指定するための操作に対応する操作信号に基づき、データ入出力装置４０に、追記クリップを要求する。ここで、クリップとは、例えば、１回の撮影処理（撮影開始から撮影終了までの撮影処理）により得られた画像データ、その画像データに対応する音声データ等の集合体を指す。
【００５７】
さらに、記録制御部６１は、データ変換部１９を制御し、その要求に応じてデータ入出力装置４０から供給される追記クリップの音声データを音声メモリ３１に記憶させ、画像データを画像メモリ３２に記憶させる。
【００５８】
また、記録制御部６１は、再生制御部６２からの指令に応じて、サーボ制御部１５、信号処理部１６、メモリコントローラ１７、およびデータ変換部１９を制御し、後述する再生制御部６２により再生された音声データおよび画像データと、データ入出力装置４０から供給される追記クリップとを、追記クリップを追記する既に記録されているクリップ（以下、既記録クリップという）の追加分として、光ディスク１１に記録させる。
【００５９】
再生制御部６２は、操作部２２から供給される、追記の指令に対応する操作信号に基づき、サーボ制御部１５、信号処理部１６、メモリコントローラ１７、およびデータ変換部１９を制御して、ヘッダを再生させる。また、再生制御部６２は、判定部６３からの判定結果に応じて、既記録クリップとして最後に配置された画像データ(以下、最後画像データという)と音声データ（以下、最後音声データという）を再生させる。そして、再生制御部６２は、削除部６４に削除の指令を行い、その後、記録制御部６１に記録を指令する。
【００６０】
判定部６３は、再生制御部６２により再生された既記録クリップのヘッダを参照して、最後画像データと最後音声データが、年輪サイズより小さいかどうかを判定する。例えば、ヘッダには、クリップの音声データと画像データを管理するためのデータ等が含まれており、判定部６３は、そのデータを参照して判定を行う。判定部６３は、その判定結果を再生制御部６２と削除部６４に供給する。
【００６１】
削除部６４は、再生制御部６２からの指令と、判定部６３からの判定結果とに基づいて、既記録クリップのヘッダとフッタ、既記録クリップとして最後に配置されたローレゾデータ(以下、最後ローレゾデータという)、最後画像データ、最後音声データ等を光ディスク１１から削除する。具体的には、例えば、削除部６４は、既記録クリップのヘッダとフッタ、最後ローレゾデータ、最後画像データ、最後音声データ等を光ディスク１１のファイルシステム上で削除する。
【００６２】
次に、図５を参照して、追記クリップの追記について説明する。
【００６３】
図５の例では、光ディスク１１のセクタのサイズが１００Kbit、ローレゾデータのデータレートと音声データのデータレートが２Mbps、画像データレートが４Mbpsであるものとする。
【００６４】
また、図５の例では、ローレゾデータの年輪サイズ(以下、適宜、ローレゾ年輪サイズという)、音声データの年輪サイズ(以下、適宜、音声年輪サイズという)、および画像データの年輪サイズ（以下、適宜、画像年輪サイズという）が１秒に設定されているものとする。
【００６５】
この場合、図５に示すように、再生時間が２．５秒のクリップ８１は、ローレゾ年輪サイズに基づく２０セクタごとのローレゾデータのまとまりであるローレゾ年輪データ、音声年輪サイズに基づく２０セクタごとの音声データのまとまりである音声年輪データ、および画像年輪サイズに基づく４０セクタごとの画像データのまとまりである画像年輪データが周期的に２回配置され、さらに、残りの１０セクタのローレゾデータ、１０セクタの音声データ、および２０セクタの画像データが配置され、最後にヘッダとフッタが配置されて記録される。
【００６６】
この後、ユーザにより、クリップ８１を既記録クリップとして追記クリップの追記が指令された場合、その指令に対応する操作信号に応じて、再生制御部６２は、サーボ制御部１５、信号処理部１６、メモリコントローラ１７、およびデータ変換部１９を制御し、クリップ８１のヘッダを再生する。判定部６３は、そのヘッダを参照して、クリップ８１の最後音声データと最後画像データが年輪サイズより小さいかどうかを判定する。
【００６７】
図５において、クリップ８１の最後音声データは１０セクタの音声データであり、最後画像データは２０セクタの画像データであるので、判定部６３は、最後音声データと最後画像データは年輪サイズより小さいという判定結果を、再生制御部６２と削除部６４に供給する。再生制御部６２は、判定部６３からの判定結果に応じて、最後音声データと最後画像データを再生させる。
【００６８】
そして、再生制御部６２は、図３の音声データ変換部４７を制御し、必要に応じて、再生データのうちの音声データを伸張して、その結果得られる音声データ８２を音声メモリ３１に記憶させる。また、再生制御部６２は、画像データ変換部４６を制御し、必要に応じて、再生データのうちの画像データを伸張して、その結果得られる画像データ８３を画像メモリ３１に記憶させる。
【００６９】
この後、再生制御部６２は、削除部６４に削除を指令し、削除部６４は、サーボ制御部１５などを制御して、最後ローレゾデータ、最後音声データ、および最後画像データ、並びにクリップ８１のヘッダとフッタを光ディスク１１から削除する。また、再生制御部６２は、記録制御部６１に記録を指令する。
【００７０】
記録制御部６１は、データ変換部１９を制御し、音声メモリ３１から、音声データ８２、追記クリップの音声データの順に読み出し、読み出し順に音声データをローレゾデータ生成部４４に供給して、画像メモリ３２から、画像データ８３、追記クリップの画像データの順に画像データをローレゾデータ生成部４４に供給し、ローレゾデータを生成する。
【００７１】
このように、ローレゾデータ生成部４４では、伸張後の最後画像データと最後音声データとから、ローレゾデータを生成するので、最後ローレゾデータを伸張して再度圧縮することによって生じる性能の劣化を防止することができる。
【００７２】
そして、記録制御部６１は、ローレゾ年輪サイズに基づく２０セクタごとに、ローレゾデータを、ローレゾ年輪データとして記録させる。その結果、音声データ８２と追記クリップの１０セクタ分に対応する音声データ８４、並びに画像データ８３と追記クリップの２０セクタ分に対応する画像データ８５により生成された２０セクタ分のローレゾデータが、クリップ８１の追加分の先頭のローレゾ年輪データ９１として記録される。
【００７３】
また、記録制御部６１は、データ変換部１９を制御して、音声メモリ３１から音声データ８２、追記クリップの音声データを順に読み出し、読み出し順に音声データを圧縮し、その結果得られる音声データを、音声年輪サイズに基づく２０セクタごとに記録させるとともに、画像メモリ３２から画像データ８３、追記クリップの画像データを順に読み出し、読み出し順に画像データを圧縮し、その結果得られる画像データを、画像年輪サイズに基づく４０セクタごとに記録させる。
【００７４】
その結果、音声データ８２と音声データ８４により生成された２０セクタ分の音声データが、追加分の先頭の音声年輪データ９２として、ローレゾ年輪データ９１の後に配置され、その後に、画像データ８３と画像データ８５により生成された４０セクタ分の画像データが、追加分の先頭の画像年輪データ９３として配置されて記録させる。
【００７５】
以降、記録制御部６１は、ローレゾ年輪データ、音声年輪データ、画像年輪データの順に周期的に記録させる。追記クリップのすべてが追記された場合、記録制御部６１は、ローレゾ年輪データ、音声年輪データ、および画像年輪データの記録を終了し、ヘッダとフッタを作成して、最後の画像年輪データの後に記録させる。
【００７６】
これにより、ディスク記録装置１０は、クリップ８１に追記クリップが追加されたクリップ１０１を、クリップ８１の変更後の新たなクリップとして認識することができる。このように、追記後のクリップ１０１を１つのクリップとして扱うことができるので、その後の再生、編集等におけるユーザの使い勝手が向上する。
【００７７】
以上のように、記録制御部６１は、クリップ８１として配置される年輪サイズではないサイズの最後ローレゾデータ、最後音声データ、および最後画像データを削除し、それらに、追記クリップのローレゾデータ、音声データ、または画像データをそれぞれ追加して、年輪サイズのローレゾ年輪データ、音声年輪データ、および画像年輪データとして記録するので、年輪サイズではないローレゾデータ、音声データ、および画像データがクリップの最後以外に配置されることを防止することができる。その結果、アクセス効率を向上させ、編集を迅速に行うことができる。
【００７８】
また、追記クリップも年輪サイズ単位で記録されるので、追記クリップが追記された既記録クリップであるクリップ１０１においても、既記録クリップと同等のアクセス効率を実現し、編集等において同等の性能を実現することができる。さらに、再生処理において、クリップ１０１は、既記録クリップと同様に扱うことができる。
【００７９】
次に、図６を参照して、図２のディスク記録装置１０が追記クリップを追記する追記処理の詳細について説明する。この追記処理は、ユーザが操作部２２を操作して、追記クリップを指定し、追記を指令したとき、開始される。
【００８０】
なお、ローレゾ年輪サイズ、画像年輪サイズ、および音声年輪サイズは、予め設定されているものとする。ローレゾ年輪サイズ、音声年輪サイズ、および画像年輪サイズの値は、あらかじめ定められた固定の値でも良いし、可変の値でも良い。ローレゾ年輪サイズ、音声年輪サイズ、および画像年輪サイズの値を可変とする場合には、その可変の値は、例えば、操作部２２を操作することによって入力するようにすることができる。
【００８１】
ステップＳ２１において、再生制御部６２は、操作部２２からの追記の指令に対応する操作信号に応じて、サーボ制御部１５、信号処理部１６、メモリコントローラ１７、およびデータ変換部１９を制御し、既記録クリップのヘッダを再生し、ステップ２２に進む。
【００８２】
ステップＳ２２において、判定部６３は、ステップＳ２１で再生されたヘッダを参照して、最後音声データと最後画像データのサイズが、それぞれ、音声年輪サイズと画像年輪サイズに比べて小さいかどうかを判定し、判定結果を再生制御部６２と削除部６４に供給する。
【００８３】
ステップＳ２２において、最後音声データと最後画像データのサイズが、それぞれ、音声年輪サイズと画像年輪サイズに比べて小さいと判定された場合、ステップＳ２３に進み、再生制御部６２は、判定部６３からの判定結果に応じて、サーボ制御部１５、信号処理部１６、メモリコントローラ１７、およびデータ変換部１９を制御し、最後音声データと最後画像データを再生して伸張し、伸張後の最後音声データを音声メモリ３１に、伸張後の最後画像データを画像メモリ３２に記憶させる。そして、再生制御部６２は、削除部６４に削除を指令し、その後、記録制御部６１に記録を指令する。
【００８４】
ステップＳ２３の処理後は、ステップＳ２４に進み、記録制御部６１は、操作部２２からの操作信号に基づき、データ入出力装置４０に追記クリップを要求し、データ変換部１９を制御して、その要求に応じて供給される追記クリップの音声データを音声メモリ３１に記憶させ、画像データを画像メモリ３２に記憶させる。
【００８５】
ステップＳ２４の処理後は、ステップＳ２５に進み、削除部６４は、再生制御部６２からの指令に応じて、サーボ制御部１５などを制御し、最後ローレゾデータ、最後音声データ、および最後画像データ、並びにヘッダとフッタを、光ディスク１１から削除し、ステップＳ２７に進む。
【００８６】
一方、ステップＳ２２において、最後音声データと最後画像データのサイズが、それぞれ、音声年輪サイズと画像年輪サイズに比べて小さくはない、即ち最後音声データと最後画像データは、音声年輪データと画像年輪データであると判定された場合、ステップＳ２６に進み、削除部６４は、判定部６３からの判定結果に応じて、サーボ制御部１５などを制御し、既記録クリップのヘッダと、対応するフッタを光ディスク１１から削除して、ステップＳ２７に進む。
【００８７】
ステップＳ２７において、記録制御部６１は、再生制御部６２からの指令に応じて、データ変換部１９を制御し、音声メモリ３１に記憶されている音声データと画像メモリ３２に記憶されている画像データからローレゾデータを生成し、ローレゾデータ、音声データ、および画像データの圧縮処理を開始する。
【００８８】
具体的には、音声メモリ３１に、光ディスク１１から再生された最後音声データが記憶されている場合、即ち、最後音声データのサイズが音声年輪サイズに比べて小さい場合、記録制御部６１は、その最後音声データ、追記クリップの音声データの順に、圧縮を行う。画像データとローレゾデータについても同様である。
【００８９】
一方、音声メモリ３１に、光ディスク１１から再生された最後音声データが記憶されていない場合、即ち最後音声データは音声年輪データである場合、記録制御部６１は、追記クリップの音声データに対して、順に圧縮を行う。画像データとローレゾデータについても同様である。
【００９０】
ステップＳ２７の処理後は、ステップＳ２８に進み、記録制御部６１は、圧縮後のローレゾデータを記録するローレゾデータ記録処理、音声データを記録する音声データ記録処理、および画像データを記録する画像データ記録処理を開始する。なお、ローレゾデータ記録処理、音声データ記録処理、画像データ記録処理は、それぞれ、図７、図８、図９を参照して後述する。
【００９１】
ステップＳ２８の処理後は、ステップＳ２９に進み、記録制御部６１は、操作部２２からの操作信号に基づき、ユーザにより追記の終了が指令されたかどうかを判定し、追記の終了が指令されていないと判定した場合、ステップＳ３０に進む。
【００９２】
ステップＳ２９において、記録制御部６１は、ローレゾデータ記録処理、音声データ記録処理、および画像データ記録処理のすべての記録処理が終了したかどうかを判定し、終了していないと判定した場合、ステップＳ２９に戻り、以下、同様の処理が繰り返される。
【００９３】
また、ステップＳ２９において、すべての記録処理が終了したと判定された場合、記録処理を終了する。
【００９４】
一方、ステップＳ２９において、追記クリップの追記の終了が指令されたと判定された場合、即ち、例えば、ユーザが、追記クリップの追記を終了するように、操作部２２を操作した場合、ステップＳ３１に進み、記録制御部６１は、ステップＳ２７で開始させた圧縮処理、並びにステップＳ２８で開始させたローレゾデータ記録処理、音声データ記録処理、および画像データ記録処理を終了し、ステップＳ３２に進む。
【００９５】
ステップＳ３２では、ステップＳ３０における場合と同様に、記録制御部６１は、すべての記録処理が終了したかどうかを判定する。ステップＳ３２において、すべての記録処理が終了していないと判定された場合、すべての記録処理が終了するまで待機する。
【００９６】
そして、ステップＳ３２において、すべての記録処理が終了したと判定された場合、即ち、ステップＳ２８において開始されたローレゾデータ記録処理、音声データ記録処理、および画像データ記録処理が終了した場合、記録処理を終了する。
【００９７】
次に、図７のフローチャートを参照して、図６のステップＳ２８で開始されるローレゾデータ記録処理について説明する。
【００９８】
ローレゾデータ記録処理が開始されると、まず最初に、ステップＳ４１において、記録制御部６１は、後述するステップＳ４７の処理で、１ずつインクリメントされる変数Ｎｌを、例えば１に初期化し、ステップＳ４２に進む。
【００９９】
ステップＳ４２では、記録制御部６１は、Ｔsl×Ｎlが、Ｔsa×Ｎa以下であり、さらに、Ｔsl×Ｎlが、Ｔsv×Ｎv以下であるかどうかを判定する。
【０１００】
ここで、Ｔslは、ローレゾ年輪サイズであり、変数Ｎlは、後述するように、ローレゾデータ記録処理において、ローレゾ年輪サイズＴslに基づくデータ量のローレゾ年輪データが光ディスク１１に記録されるごとに、１ずつインクリメントされていく。従って、Ｔsl×Ｎlは、ローレゾデータを、ローレゾ年輪サイズＴsl単位で記録していった場合に、これから光ディスク１１に記録しようとしているローレゾ年輪データの最後の再生時刻に相当する。
【０１０１】
また、Ｔsaは、音声年輪サイズであり、音声データの、ある再生時間を表す。また、変数Ｎaは、後述するように、音声年輪サイズＴsaに基づくデータ量の音声年輪データが光ディスク１１に記録されるごとに、１ずつインクリメントされていく。同様に、Ｔsvは、画像年輪サイズであり、変数Ｎvは、後述するように、画像データ記録処理において、画像年輪サイズＴsvに基づくデータ量の画像年輪データが光ディスク１１に記録されるごとに、１ずつインクリメントされていく。
【０１０２】
従って、Ｔsa×Ｎaは、音声データを、音声年輪サイズＴsa単位で記録していった場合に、これから光ディスク１１に記録しようとしている音声年輪データの最後の再生時刻に相当し、Ｔsv×Ｎvは、画像データを、画像年輪サイズＴsv単位で記録していった場合に、これから光ディスク１１に記録しようとしている画像年輪データの最後の再生時刻に相当する。
【０１０３】
一方、いま、音声年輪データ、画像年輪データ、およびローレゾ年輪データを、同じような再生時間帯のものが、光ディスク１１上の近い位置に記録されるように、周期的に配置するものとする。さらに、音声年輪データ、画像年輪データ、およびローレゾ年輪データについては、その再生時刻が早いものほど、光ディスク１１の前の位置（光ディスク１１に対するデータの読み書き順で、先の位置）に配置され、さらに、同じような再生時間帯の音声年輪データ、画像年輪データ、およびローレゾ年輪データについては、例えば、ローレゾ年輪データ、音声年輪データ、画像年輪データの順番で、光ディスク１１のより前の位置に配置されるものとする。
【０１０４】
この場合、これから記録しようとするローレゾ年輪データを、注目ローレゾ年輪データというものとすると、注目ローレゾ年輪データは、再生時刻Ｔsl×Ｎl以前の最近の（再生時刻Ｔsl×Ｎlに最も近い）再生時間帯のローレゾ年輪データとなるが、この注目ローレゾ年輪データは、再生時刻Ｔsl×Ｎl以前の最近の再生時間帯の音声年輪データと画像年輪データが記録される直前、つまり、再生時刻Ｔsl×Ｎl以前の２番目に新しい再生時間帯の音声年輪データと画像年輪データが記録された直後に記録する必要がある。
【０１０５】
ところで、これから記録される音声年輪データは、Ｔsa×Ｎa以前の最近の再生時間帯の画像年輪データであり、これから記録される音声年輪データは、Ｔsv×Ｎv以前の最近の再生時間帯の音声年輪データである。従って、注目ローレゾ年輪データの記録は、ローレゾ年輪データの再生時刻Ｔsl×Ｎlが、音声年輪データの再生時刻Ｔsa×Ｎa以下となっており、さらに、画像年輪データの再生時刻Ｔsv×Ｎv以下となっているタイミングで行う必要がある。
【０１０６】
そこで、ステップＳ４２では、上述したように、ローレゾ年輪データの再生時刻Ｔsl×Ｎlが、音声年輪データの再生時刻Ｔsa×Ｎa以下であり、さらに、画像年輪データの再生時刻Ｔsv×Ｎv以下であるかどうかが判定され、これにより、現在のタイミングが、注目ローレゾ年輪データの記録を行うべきタイミングであるかどうかが判定される。
【０１０７】
ステップＳ４２において、ローレゾ年輪データの再生時刻Ｔsl×Ｎlが、音声年輪データの再生時刻Ｔsa×Ｎa、または画像年輪データの再生時刻Ｔsv×Ｎvのうちのいずれか以下（以前）でないと判定された場合、即ち、現在のタイミングが、注目ローレゾ年輪データの記録を行うべきタイミングでない場合、ステップＳ４２に戻り、以下、同様の処理が繰り返される。
【０１０８】
また、ステップＳ４２において、ローレゾ年輪データの再生時刻Ｔsl×Ｎlが、音声年輪データの再生時刻Ｔsa×Ｎa、および画像年輪データの再生時刻Ｔsv×Ｎvのすべての時刻以下であると判定された場合、即ち、現在のタイミングが、注目ローレゾ年輪データの記録を行うべきタイミングである場合、ステップＳ４３に進み、記録制御部６１は、データ変換部１９からメモリコントローラ１７を介して、メモリ１８に、ローレゾデータが供給されているか否かを判定し、供給されていると判定した場合、ステップＳ４４に進む。
【０１０９】
ステップＳ４４では、記録制御部６１は、メモリ１８に、通算して、ローレゾ年輪サイズＴsl×Ｎl分の再生に必要なローレゾデータが記憶されたか否かを判定し、まだ、その分のローレゾデータがメモリ１８に記憶されていないと判定された場合、ステップＳ４２に戻り、以下、同様の処理が繰り返される。また、ステップＳ４４において、再生時間Ｔsl×Ｎlに対応する分のローレゾデータがメモリ１８に記憶されたと判定された場合、ステップＳ４５に進む。
【０１１０】
なお、データ変換部１９のデータ量検出部４２は、通算して、再生時間Ｔsl×Ｎl分の再生に必要な画像データおよび音声データを検出したとき、その旨を、メモリコントローラ１７に通知する。メモリコントローラ１７は、その通知に基づいて、通算して、再生時間Ｔsl×Ｎl分の再生に必要なローレゾデータをメモリ１８に記憶したか否かの判定を行い、その判定結果を記録制御部６１に通知する。そして、記録制御部６１は、メモリコントローラ１７からのその判定結果に基づいて、ステップＳ４４における判定処理を行う。なお、本実施の形態では、画像データ等のデータ量を少なくした画像データ等を圧縮符号したものを、ローレゾデータとするようにしたが、その他、画像データ等のデータ量を少なくした画像データ等を、そのまま、ローレゾデータとするようにすることも可能である。
【０１１１】
ステップＳ４５では、記録制御部６１は、メモリコントローラ１７を制御して、メモリ１８に記憶されているローレゾデータから、光ディスク１１上に形成される物理的記録再生単位（物理的単位領域）としての、例えば１つのセクタのデータ量の整数倍のデータ量であって、メモリ１８から読み出すことのできる最大のデータ量のローレゾデータを、時間的に先に入力された方から読み出させることにより抽出し、ステップＳ４６に進む。
【０１１２】
なお、このセクタの整数倍のデータ量であって、メモリ１８から読み出すことのできる最大のデータ量のローレゾデータとして、メモリ１８から読み出されるローレゾ年輪データが、上述した、再生時刻Ｔsl×Ｎl以前の最近のローレゾ年輪データである。また、ステップＳ４５において読み出されなかったローレゾデータは、そのままメモリ１８に残される。
【０１１３】
ステップＳ４６では、記録制御部６１が、ステップＳ４５で得られた、セクタの整数倍のデータ量の注目ローレゾ年輪データを、メモリコントローラ１７から信号処理部１６に供給させ、これにより、そのセクタの整数倍のデータ量の注目ローレゾ年輪データが、その整数倍の数のセクタに記録されるように記録制御を行う。これにより、セクタの整数倍のデータ量のローレゾ年輪データが、その整数倍の数のセクタに、ローレゾ年輪データの境界と、光ディスク１１のセクタの境界とが一致するように記録される。
【０１１４】
その後、ステップＳ４７に進み、記録制御部６１は、変数Ｎlを１だけインクリメントし、ステップＳ４２に戻り、以下、同様の処理を繰り返される。
【０１１５】
一方、ステップＳ４３において、ローレゾデータがメモリ１８に供給されていないと判定された場合、即ち、データ変換部１９からメモリコントローラ１７へのローレゾデータの供給が停止した場合、ステップＳ４８に進み、記録制御部６１は、メモリコントローラ１７を制御することにより、メモリ１８にいま残っているローレゾデータのすべてを読み出し、そのデータ量がセクタの整数倍の最小のデータ量となるように、ローレゾデータに、パディング用のパディング(PADDING)データを付加する。
【０１１６】
これにより、メモリ１８から読み出されたローレゾデータは、セクタの整数倍のデータ量のローレゾデータとされる。さらに、記録制御部６１は、そのローレゾデータを、メモリコントローラ１７から信号処理部１６に供給させ、これにより、そのセクタの整数倍のデータ量のローレゾデータが、その整数倍の数のセクタに記録されるように記録制御を行う。
【０１１７】
その後、ステップＳ４９に進み、記録制御部６１は、変数Ｎlに、無限大に相当する値をセットして、ローレゾデータ記録処理を終了する。
【０１１８】
次に、図８を参照して、図６のステップＳ２８で開始される音声データ記録処理について詳細に説明する。
【０１１９】
音声データ記録処理が開始されると、まず最初に、ステップＳ５１において、記録制御部６１は、後で行われるステップＳ５７の処理で、１ずつインクリメントされる変数Ｎaを、例えば１に初期化し、ステップＳ５２に進む。
【０１２０】
ステップＳ５２では、記録制御部６１は、Ｔsa×Ｎaが、Ｔsv×Ｎv以下であるかどうかを判定し、さらに、Ｔsa×Ｎaが、Ｔsl×Ｎlより小さいかどうかを判定する。
【０１２１】
ここで、上述したように、Ｔsa×Ｎaは、音声データを、音声年輪サイズＴsa単位で記録していった場合に、これから光ディスク１１に記録しようとしている音声年輪データの最後の再生時刻に相当し、Ｔsv×Ｎvは、画像データを、画像年輪サイズＴsv単位で記録していった場合に、これから光ディスク１１に記録しようとしている画像年輪データの最後の再生時刻に相当する。
【０１２２】
そして、Ｔsa×Ｎaが、Ｔsv×Ｎv以下であるというのは、これから記録しようとする音声年輪データである注目音声年輪データを、再生時刻Ｔsa×Ｎa以前の最近の（再生時刻Ｔsa×Ｎaに最も近い）再生時間帯の画像年輪データ直前、つまり、再生時刻Ｔsa×Ｎa以前の２番目に新しい再生時間帯の画像年輪データが記録された直後に記録するための条件である。
【０１２３】
さらに、Ｔsa×Ｎaが、Ｔsl×Ｎl未満であるというのは、これから記録しようとする音声年輪データである注目音声年輪データ、即ち、再生時刻Ｔsa×Ｎa以前の最近の再生時間帯の音声年輪データを、再生時刻Ｔsl×Ｎl以前の最近の再生時間帯のローレゾ年輪データが記録された直後に記録するための条件である。
【０１２４】
ステップＳ５２において、音声年輪データの再生時刻Ｔsa×Ｎaが、画像年輪データの再生時刻Ｔsv×Ｎv以下、またはローレゾ年輪データの再生時刻Ｔsl×Ｎl未満のうちのいずれかではないと判定された場合、即ち、現在のタイミングが、注目音声年輪データの記録を行うべきタイミングでない場合、ステップＳ５２に戻り、以下、同様の処理が繰り返される。
【０１２５】
また、ステップＳ５２において、音声年輪データの再生時刻Ｔsa×Ｎaが、画像年輪データの再生時刻Ｔsv×Ｎv以下であり、ローレゾ年輪データの再生時刻Ｔsl×Ｎl未満であると判定された場合、即ち、現在のタイミングが、注目音声年輪データの記録を行うべきタイミングである場合、ステップＳ５３に進み、記録制御部６１は、データ変換部１９からメモリコントローラ１７を介して、メモリ１８に、音声データが供給されているか否かを判定し、供給されていると判定した場合、ステップＳ５４に進む。
【０１２６】
ステップＳ５４では、記録制御部６１は、メモリ１８に、通算して、音声年輪サイズＴsa×Ｎa分の再生に必要な音声データが記憶されたか否かを判定し、まだ、その分の音声データがメモリ１８に記憶されていないと判定された場合、ステップＳ５２に戻り、それ以降の処理が繰り返される。また、ステップＳ５４において、再生時間Ｔsa×Ｎaに対応する分の音声データがメモリ１８に記憶されたと判定された場合、処理はステップＳ５５に進む。
【０１２７】
なお、データ変換部１９のデータ量検出部４２は、通算して、再生時間Ｔsa×Ｎa分の再生に必要な音声データを検出したとき、その旨を、メモリコントローラ１７に通知する。メモリコントローラ１７は、その通知に基づいて、通算して、再生時間Ｔsa×Ｎa分の再生に必要な音声データをメモリ１８に記憶させたか否かの判定を行い、その判定結果を記録制御部６１に通知する。すなわち記録制御部６１は、メモリコントローラ１７からのその判定結果に基づいて、ステップＳ５４における判定を行う。
【０１２８】
なお、本実施の形態では、音声データを圧縮符号化することによって得られる画像データがメモリ１８に記憶されることとしているが、音声データは、圧縮符号化せずに、そのままメモリ１８に記憶させることも可能である。
【０１２９】
ステップＳ５４の処理後は、ステップＳ５５に進み、記録制御部６１は、メモリコントローラ１７を制御して、メモリ１８に記憶されている音声データから、光ディスク１１上に形成される物理的記録再生単位としての、例えば１つのセクタのデータ量の整数倍のデータ量であって、メモリ１８から読み出すことのできる最大のデータ量の音声データを、時間的に先に入力された方から読み出させることにより抽出し、ステップＳ５６に進む。
【０１３０】
なお、このセクタの整数倍のデータ量であって、メモリ１８から読み出すことのできる最大のデータ量の音声データとして、メモリ１８から読み出される音声年輪データが、上述した、再生時刻Ｔsa×Ｎa以前の最近の音声年輪データである。また、ステップＳ５５において読み出されなかった音声データは、そのままメモリ１８に残される。
【０１３１】
ステップＳ５６では、記録制御部６１が、ステップＳ５５で得られた、セクタの整数倍のデータ量の注目音声年輪データを、メモリコントローラ１７から信号処理部１６に供給させ、これにより、そのセクタの整数倍のデータ量の注目音声年輪データが、その整数倍の数のセクタに記録されるように記録制御を行う。
【０１３２】
ステップＳ５６において、上述のように、注目音声年輪データの記録制御が行われた後は、ステップＳ５７に進み、記録制御部６１は、変数Ｎaを１だけインクリメントし、ステップＳ５２に戻り、それ以降の処理を実行する。
【０１３３】
一方、ステップＳ５３において、音声データがメモリ１８に供給されていないと判定された場合、即ち、データ変換部１９からメモリコントローラ１７への音声データの供給が停止した場合、ステップＳ５８に進み、記録制御部６１は、メモリコントローラ１７を制御することにより、メモリ１８にいま残っている音声データのすべてを読み出し、そのデータ量がセクタの整数倍の最小のデータ量となるように、音声データに、パディング用のパディングデータを付加する。
【０１３４】
これにより、メモリ１８から読み出された音声データは、セクタの整数倍のデータ量の音声データとされる。さらに、記録制御部６１は、その音声データを、メモリコントローラ１７から信号処理部１６に供給させ、これにより、そのセクタの整数倍のデータ量の音声データが、その整数倍の数のセクタに記録されるように記録制御を行う。
【０１３５】
その後、ステップＳ５９に進み、記録制御部６１は、変数Ｎaに、無限大に相当する値をセットして、音声データ記録処理を終了する。
【０１３６】
次に、図９のフローチャートを参照して、図６のステップＳ２８で開始される画像データ処理について説明する。
【０１３７】
画像データ記録処理が開始されると、まず最初に、ステップＳ６１において、記録制御部６１は、後で行われるステップＳ６７の処理で、１ずつインクリメントされる変数Ｎvを、例えば１に初期化し、ステップＳ６２に進む。
【０１３８】
ステップＳ６２では、記録制御部６１は、Ｔsv×Ｎvが、Ｔsa×ＮaおよびＴsl×Ｎl未満であるかどうかを判定する。
【０１３９】
ここで、上述したように、ＴSv×Ｎvは、画像データを、画像年輪サイズＴsv単位で記録していった場合に、これから光ディスク１１に記録しようとしている画像年輪データの最後の再生時刻に相当し、Ｔsa×Ｎaは、画像データを、画像年輪サイズＴsa単位で記録していった場合に、これから光ディスク１１に記録しようとしている画像年輪データの最後の再生時刻に相当する。そして、Ｔsv×Ｎvが、Ｔsa×ＮaおよびＴsl×Ｎl未満であるというのは、これから記録しようとする画像年輪データである注目画像年輪データを、再生時刻Ｔsa×Ｎa以前の最近の再生時間帯の音声年輪データとローレゾ年輪データが記録された直後に記録するための条件である。
【０１４０】
ステップＳ６２において、画像年輪データの再生時刻Ｔsv×Ｎvが、音声年輪データの再生時刻Ｔsa×Ｎaまたは再生時刻Ｔsl×Ｎl未満のうちのいずれかではないと判定された場合、即ち、現在のタイミングが、注目画像年輪データの記録を行うべきタイミングでない場合、ステップＳ６２に戻り、以下、同様の処理が繰り返される。
【０１４１】
また、ステップＳ６２において、画像年輪データの再生時刻Ｔsv×Ｎvが、音声年輪データの再生時刻Ｔsa×Ｎaおよびローレゾ年輪データの再生時刻Ｔsl×Ｎl未満であると判定された場合、即ち、現在のタイミングが、注目画像年輪データの記録を行うべきタイミングである場合、ステップＳ６３に進み、記録制御部６１は、データ変換部１９からメモリコントローラ１７を介して、メモリ１８に、画像データが供給されているか否かを判定し、供給されていると判定した場合、ステップＳ６４に進む。
【０１４２】
ステップＳ６４では、記録制御部６１は、メモリ１８に、通算して、画像年輪サイズＴsv×Ｎv分の再生に必要な画像データが記憶されたか否かを判定し、まだ、その分の画像データがメモリ１８に記憶されていないと判定された場合、ステップＳ６２に戻り、それ以降の処理が繰り返される。また、ステップＳ６４において、再生時間Ｔsv×Ｎvに対応する分の画像データがメモリ１８に記憶されたと判定された場合、処理はステップＳ６５に進む。
【０１４３】
なお、データ変換部１９のデータ量検出部４２は、通算して、再生時間Ｔsv×Ｎv分の再生に必要な画像データを検出したとき、その旨を、メモリコントローラ１７に通知する。メモリコントローラ１７は、その通知に基づいて、通算して、再生時間Ｔsv×Ｎv分の再生に必要な画像データをメモリ１８に記憶したか否かの判定を行い、その判定結果を記録制御部６１に通知する。すなわち記録制御部６１は、メモリコントローラ１７からのその判定結果に基づいて、ステップＳ６４における判定を行う。
【０１４４】
なお、本実施の形態では、画像データを圧縮符号化することによって得られる画像データがメモリ１８に記憶されることとしているが、画像データは、圧縮符号化せずに、そのままメモリ１８に記憶させることも可能である。
【０１４５】
ステップＳ６４の処理後は、ステップＳ６５に進み、記録制御部６１は、メモリコントローラ１７を制御して、メモリ１８に記憶されている画像データから、光ディスク１１上に形成される物理的記録再生単位としての、例えば１つのセクタのデータ量の整数倍のデータ量であって、メモリ１８から読み出すことのできる最大のデータ量の画像データを、時間的に先に入力された方から読み出させることにより抽出し、ステップＳ６６に進む。
【０１４６】
なお、このセクタの整数倍のデータ量であって、メモリ１８から読み出すことのできる最大のデータ量の画像データとして、メモリ１８から読み出される画像年輪データが、上述した、再生時刻Ｔsv×Ｎv以前の最近の画像年輪データである。また、ステップＳ６５において読み出されなかった画像データは、そのままメモリ１８に残される。
【０１４７】
ステップＳ６５の処理後は、ステップＳ６６に進み、記録制御部６１が、ステップＳ６５で得られた、セクタの整数倍のデータ量の注目画像年輪データを、メモリコントローラ１７から信号処理部１６に供給させ、これにより、そのセクタの整数倍のデータ量の注目画像年輪データが、その整数倍の数のセクタに記録されるように記録制御を行う。
【０１４８】
ステップＳ６６の処理後は、ステップＳ６７に進み、記録制御部６１は、変数Ｎvを１だけインクリメントし、ステップＳ６２に戻り、それ以降の処理を繰り返す。
【０１４９】
一方、ステップＳ６３において、画像データがメモリ１８に供給されていないと判定された場合、即ち、データ変換部１９からメモリコントローラ１７への画像データの供給が停止した場合、ステップＳ６８に進み、記録制御部６１は、メモリコントローラ１７を制御することにより、メモリ１８にいま残っている画像データのすべてを読み出し、そのデータ量がセクタの整数倍の最小のデータ量となるように、画像データに、パディング用のパディング(PADDING)データを付加する。
【０１５０】
これにより、メモリ１８から読み出された画像データは、セクタの整数倍のデータ量の画像データとされる。さらに、記録制御部６１は、その画像データを、メモリコントローラ１７から信号処理部１６に供給させ、これにより、そのセクタの整数倍のデータ量の画像データが、その整数倍の数のセクタに記録されるように記録制御を行う。
【０１５１】
その後、ステップＳ６９に進み、記録制御部６１は、変数Ｎvに、無限大に相当する値をセットして、画像データ記録処理を終了する。
【０１５２】
なお、上述の場合には、光ディスク１１の物理的単位領域を、セクタとしたが、光ディスク１１の物理的単位領域としては、その他、例えば、ECC(Error Correction Code：誤り訂正符号)処理が施される単位のデータが記録されるECCブロックとすることが可能である。また、光ディスク１１の物理的単位領域は、その他、例えば、複数の固定数のセクタや、複数の固定数のECCブロックとすることが可能である。
【０１５３】
ここで、ECC処理は、例えば、信号処理部１６で、ECCブロック単位で施される。また、セクタは、１以上の個数のECCブロックで構成することができる。あるいは、ECCブロックは、１以上の個数のECCブロックで構成することができる。
【０１５４】
なお、１つのECCブロックが１つのセクタから構成されるものとすれば、物理的単位領域を、セクタとしても、また、ECCブロックとしても、光ディスク１１へのデータの記録結果は同一になる。
【０１５５】
また、上述した説明では、データ変換部１９において、ローレゾデータが生成されたが、ローレゾデータはデータ入出力装置４０から直接入力されるようにしてもよい。この場合、追記時においては、光ディスク１１から最後ローレゾデータが読み出されて伸張され、メモリ２０に記憶される。そして、記録制御部６１は、ローレゾデータ生成部４５を制御して、伸張後の最後ローレゾデータ、追記クリップのローレゾデータの順にローレゾデータを圧縮し、その結果得られるローレゾデータを年輪サイズ単位で記録させる。
【０１５６】
さらに、本発明は、光ディスク以外のディスク状記録媒体にも適用することができる。
【０１５７】
また、上述した説明では、ディスク記録装置１０が、音声データと画像データとともに、ローレゾデータを記録するようにしたが、ローレゾデータは記録されなくてもよい。
【０１５８】
以上のように、ディスク記録装置１０は、追記クリップを、既記録クリップに追記する場合、その既記録クリップのうち、光ディスク１１の最後に配置されている、既記録クリップのデータ系列それぞれについての、光ディスク１１のセクタの整数倍のデータ量である所定のデータ量ごとのデータである最後データの再生を制御し、既記録クリップのデータ系列それぞれについての最後データである最後音声データおよび最後画像データと、追記クリップのデータ系列とを記憶させ、最後データを光ディスク１１から削除し、データ系列ごとに、記憶されている最後データを読み出した後、追記クリップを読み出し、読み出し順に、所定のデータ量のデータを抽出し、そのデータを、データの境界と、セクタの境界とが一致し、かつデータ系列ごとのデータが周期的に配置されるように、光ディスク１１に記録する記録制御を行うので、編集処理を迅速に行うことができる。        
【０１５９】
なお、本明細書において、プログラム記録媒体に格納されるプログラムを記述するステップは、記載された順序に沿って時系列的に行われる処理はもちろん、必ずしも時系列的に処理されなくとも、並列的あるいは個別に実行される処理をも含むものである。
【０１６０】
また、本発明の実施の形態は、上述した実施の形態に限定されるものではなく、本発明の要旨を逸脱しない範囲において種々の変更が可能である。
【図面の簡単な説明】
【０１６１】
【図１】年輪サイズ単位で記録された光ディスクの一例を示す図である。
【図２】本発明を適用したディスク記録装置の一実施の形態の構成例を示すブロック図である。
【図３】データ変換部の構成例を示すブロック図である。
【図４】制御部の構成例を示すブロック図である。
【図５】追記について説明する図である。
【図６】追記処理を説明するフローチャートである。
【図７】ローレゾデータ記録処理を説明するフローチャートである。
【図８】音声データ記録処理を説明するフローチャートである。
【図９】画像データ記録処理を説明するフローチャートである。
【符号の説明】
【０１６２】
１０  ディスク記録装置，  １７  メモリコントローラ，  １８  メモリ，  ２１  制御部，  ２３  ROM，  ４５  ローレゾデータ生成部，  ６１  記録制御部，  ６２  再生制御部，  ６３  判定部，  ６４  削除部
【図１】
0004678523.tif 000002
【図２】
0004678523.tif 000003
【図３】
0004678523.tif 000004
【図４】
0004678523.tif 000005
【図５】
0004678523.tif 000006
【図６】
0004678523.tif 000007
【図７】
0004678523.tif 000008
【図８】
0004678523.tif 000009
【図９】
0004678523.tif 000010